(57)【要約】【課題】遊技機メーカーが関与しないで転売された遊技機の遊技制御動作を禁止させるようにでき、しかもその不正に転売された遊技機を容易に発見できるようにすること。【解決手段】サーバ３を有する監視センター２は、公衆回線ＮＷを介してパチンコホールＡ，Ｂ・・の管理コンピュータ４（４Ａ，４Ｂ・・）の各々に接続可能である。サーバ３の記憶部３ａには、各パチンコホールＡ，Ｂ・・の電話番号とパチンコホールＡ，Ｂ・・に固有の識別情報とを夫々対応させて複数記憶されている。各パチンコ機５にはそのパチンコホールＡ，Ｂ・・に固有の識別情報が記憶されている。そこで、各パチンコ機５において、公衆回線ＮＷと管理コンピュータ４とを介して送信された記憶部３ａに記憶した正規の識別情報と、パチンコ機側の識別情報とを照合させることで、パチンコ機５のパチンコホールＡ，Ｂ・・との適応性を検査できる。【選択図】  図１
2004187792.tif 000002
【特許請求の範囲】
【請求項１】
遊技状態に応じて遊技者に有利な利益状態を発生させるか否かを抽選する抽選手段（３１）を有する遊技機（５，８５）において、
遊技機（５，８５）が設置されたホール（Ａ，Ｂ・・・）  に固有の識別情報を予め記憶させた識別情報記憶手段（３６）と、
前記識別情報記憶手段（３６）に記憶した識別情報と外部から受信した識別情報とを照合して一致するか否かを判定する識別情報判定手段（３７）と、
前記識別情報判定手段（３７）から一致しない旨の判定結果を受けた場合に、遊技動作を禁止させる遊技動作禁止手段（３８）と、
を備えたことを特徴とする遊技機。
【請求項２】
遊技状態に応じて遊技者に有利な利益状態を発生させるか否かを抽選する抽選手段（３１）を有する遊技機（６５，７５）  において、
遊技機（６５，７５）  が設置されたホール（Ａ，Ｂ・・・）  の所在場所を特定する場所情報を記憶する場所情報記手段（３６Ａ）  と、
前記場所情報記憶手段（３６Ａ）  に記憶した場所情報と外部から受信した場所情報とを照合して一致するか否かを判定する場所判定手段（３７Ａ）  と、
前記場所判定手段（３７Ａ）  から一致しない旨の判定結果を受けた場合に、遊技動作を禁止させる遊技動作禁止手段（３８）と、
を備えたことを特徴とする遊技機。
【請求項３】
前記遊技動作禁止手段（３８）が遊技動作を禁止させた場合、エラー状態を報知するエラー報知手段（Ｓ３６，Ｓ３６Ａ）を設けたことを特徴とする請求項１又は２に記載の遊技機。
【請求項４】
ホール（Ａ，Ｂ・・・）  に設置された複数台の遊技機（５，６５）に接続された管理コンピュータ（４，６４）と、複数の管理コンピュータ（４，６４）に通信回線（ＮＷ）を介して通信可能に接続された監視センター（２，２Ａ）とを備えた遊技機監視システム（１，１Ａ）であって、
前記監視センター（２，２Ａ）はサーバ（３，３Ａ）を有し、このサーバ（３，３Ａ）に複数のホール（Ａ，Ｂ・・・）  の各々について各ホール（Ａ，Ｂ・・・）  に特有のホール関連情報を予め記憶させた記憶部（３ａ，３ｂ）  を設け、
前記管理コンピュータ（４，６４）は、前記サーバ（３，３Ａ）から受信したホール関連情報を各遊技機に送信可能に構成した、
ことを特徴とする遊技機監視システム。
【請求項５】
ホール（Ａ，Ｂ・・・）  に設置された管理コンピュータ（７４，８４）  と、この管理コンピュータ（７４，８４）  に電気的に接続された複数台の遊技機（５，６５  ）  とを備えた遊技機監視システム（１Ｂ  〜１Ｃ）  であって、
前記管理コンピュータ（７４，８４）  は、ホール（Ａ，Ｂ・・・）  に特有のホール関連情報を予め記憶させた記憶部（４ｃ，４ｅ）  を有し、この記憶部（４ｃ，４ｅ）  のホール関連情報を各遊技機に送信可能に構成した、
ことを特徴とする遊技機監視システム。
【請求項６】
前記サーバ（３，３Ａ）の記憶部（３ａ，３ｂ）  又は前記管理コンピュータ（７４，８４）  の記憶部（４ｃ，４ｅ）  に記憶したホール関連情報は、ホール（Ａ，Ｂ・・・）  に固有の識別情報又は遊技機が設置されたホール（Ａ，Ｂ・・・）  の所在場所を特定する場所情報であることを特徴とする請求項４又は５に記載の遊技機監視システム。
【請求項７】
前記複数台の遊技機（５，６５）の各々は、
遊技機（５，６５）が設置されたホール（Ａ，Ｂ・・・）  に関連するホール関連情報を予め記憶させたホール関連情報記憶手段（３６，３６Ａ）と、
前記ホール関連情報記憶手段（３６，３６Ａ）に記憶したホール関連情報と前記管理コンピュータ（４，６４，７４，８４）から受信したホール関連情報とを照合して一致するか否かを判定するホール関連情報判定手段（３７，３７Ａ）と、
前記ホール関連情報判定手段（３７，３７Ａ）から一致しない旨の判定結果を受けた場合に、遊技動作を禁止させる遊技動作禁止手段（３８）と、
を備えたことを特徴とする請求項６に記載の遊技機監視システム。
【発明の詳細な説明】
【０００１】
【発明の属する技術分野】本発明は遊技機及び遊技機監視システムに関し、特に遊技機の設置場所が無断で他の遊技ホールに移店された場合には、その移店先では遊技を禁止できるようにしたものである。
【０００２】
【従来の技術】従来、遊技球を用いて遊技する弾球遊技機、メダルを用いて遊技する回胴遊技機においては、主に遊技制御を司る遊技制御用マイクロコンピュータを搭載した遊技制御基板が設けられ、この遊技制御用マイクロコンピュータにおいて、ＲＯＭ等の不揮発メモリにセキュリティデータや遊技制御プログラムが格納されており、遊技開始に際して、セキュリティデータでもって制御プログラムが格納されたメモリのセキュリティチェックを行い、正常な場合に限って遊技制御が実行されるが、不正が検出された場合には、遊技動作できないような監視技術が種々提案されている。
【０００３】
例えば、特開平１０−２４１４７号公報に記載の遊技機制御用チップの照合装置には、遊技機のメイン制御基板に設けたＣＰＵに、遊技機とは別体であるマイコン搭載の照合装置のＩＣクリップを接続し、この照合装置は、照合装置に記憶しているセキュリティコードやユーザープログラムと、ＩＣクリップを介して読込んだ遊技機側のセキュリティコードやユーザープログラムを照合することで、ＣＰＵ又は記憶手段を置き換えた場合の不正をチェックするようにしてある（例えば、特許文献１参照）。
【０００４】
また、特開平１０−１０８９６３号に記載の遊技機情報の暗号化通信システムには、遊技機の遊技制御基板にチップ固有のキーコードを格納した照合判定用通信チップを装着しておき、そのチップ固有のキーコードを用いて暗号化して外部に送信した信号を、ホストコンピュータが受信し、ホストコンピュータに記憶した正規のチップ固有のキーコードを用いて複合化し、その結果として得られた情報に基づいて、遊技制御基板に有する制御チップ自体が交換された不正なものか否かを容易に発見できるようにしてある（例えば、特許文献２参照）。
【０００５】
また、特開平１１−１１４１９５号公報に記載の遊技機監視システムには、
ホール内監視コンピュータと親機であるＰＨＳ交換機とが通信回線を介して接続され、このＰＨＳ交換機を介してホール内監視コンピュータと複数の遊技機に装着された子機であるＰＨＳ端末ユニットと同時に接続し、遊技制御チップによる遊技制御が正常に行われているか否かをチェック可能な遊技機制御基板とこれらＰＨＳ端末ユニットとが接続されている。遊技機制御基板の遊技制御チップが正しく使用されているか否かのチェック結果がホール内監視コンピュータで記憶するため、監視センターコンピュータは各パチンコホールのホール内監視コンピュータに定期的にアクセスして遊技機の使用状況を把握できるようにしてある（例えば、特許文献３参照）。
【０００６】
更に、特開平１１−２６２５７１号公報に記載の遊技機には、通信制御用の基板の種類を認識するための情報を記憶し且つその情報を通信可能な情報通信器を基板ケースのケース表面に、又はケース内に埋め込んで設けるようにし、外部の情報読み出し装置から情報通信指令信号をパチンコ機に通信する。その結果、情報通信器から情報が電磁波により外部に通信されるので、その通信された情報を情報読み出し装置で照合することで、不正基板との差し替えの有無を容易に検出可能である。このとき、情報通信器を有していない基板ケースに差し替えられたときには、情報が通信されないため、この場合にも、不正基板との差し替えを容易に検出可能である（例えば、特許文献４参照）。
【０００７】
【特許文献１】
特開平１０−２４１４７公報  （第３頁、図１，図４）
【特許文献２】
特開平１０−１０８９６３号公報  （第４頁、図１）
【特許文献３】
特開平１１−１１４１９５号公報  （第４頁、図１，図２）
【特許文献４】
特開平１１−２６２５７１号公報  （第８〜９頁、図６〜８）
【０００８】
【発明が解決しようとする課題】前述したように、特開平１０−２４１４７号公報に記載の遊技機制御用チップの照合装置、特開平１０−１０８９６３号に記載の遊技機情報の暗号化通信システム、特開平１１−１１４１９５号公報に記載の遊技機監視システムにおいては、遊技機とは別体に設けた照合装置、ホストコンピュータ、遊技監視ユニット等により、遊技機に設けた遊技制御用のチップが不正か否かを発見できるようにしてあるが、遊技機自体の不正、つまり遊技機が遊技機メーカーとは無関係の中間業者により、他の遊技ホールに勝手に転売する（移店する）という事態を発見できるようにはなっていない。
【０００９】
このように、遊技機メーカーはこのような勝手な遊技機の転売事実を十分に把握することができないため、遊技機の移店途中で遊技制御用プログラムＲＯＭを違法に交換するなどの不正な行為が行われた結果、遊技機メーカに対して補償を求められる等の不都合が発生するとも限らない。
本発明の目的は、遊技機メーカーが関与しないで転売された遊技機の遊技制御動作を禁止させるようにでき、しかもその不正に転売された遊技機を容易に発見できるようにすること、等である。
【００１０】
【課題を解決するための手段】請求項１に係る遊技機は、遊技状態に応じて遊技者に有利な利益状態を発生させるか否かを抽選する抽選手段を有する遊技機において、遊技機が設置されたホールに固有の識別情報を予め記憶させた識別情報記憶手段と、識別情報記憶手段に記憶した識別情報と外部から受信した識別情報とを照合して一致するか否かを判定する識別情報判定手段と、識別情報判定手段から一致しない旨の判定結果を受けた場合に、遊技動作を禁止させる遊技動作禁止手段とを備えたものである。ここで、遊技機は、遊技球を用いて遊技する弾球遊技機、メダルを用いて遊技するスロットマシンであってもよい。
【００１１】
ホールに設置された複数台の遊技機の各々には、ホールに固有の識別情報を記憶した識別情報記憶手段と、この識別情報を判定する識別情報判定手段と、遊技動作禁止手段とが夫々設けられているため、外部から受信した識別情報と識別情報記憶手段に記憶した識別情報とを照合し、一致した場合には、通常通りに遊技制御を実行することができるが、一致しない場合には、遊技動作が禁止されるため、他のホールから不正に持ち込まれた遊技機であることが容易に判明する。
【００１２】
請求項２に係る遊技機は、遊技状態に応じて遊技者に有利な利益状態を発生させるか否かを抽選する抽選手段を有する遊技機において、遊技機が設置されたホールの所在場所を特定する場所情報を記憶する場所情報記手段と、場所情報記憶手段に記憶した場所情報と外部から受信した場所情報とを照合して一致するか否かを判定する場所判定手段と、場所判定手段から一致しない旨の判定結果を受けた場合に、遊技動作を禁止させる遊技動作禁止手段とを備えたものである。ここで、遊技機は、遊技球を用いて遊技する弾球遊技機、メダルを用いて遊技するスロットマシンであってもよい。
【００１３】
ホールに設置された複数台の遊技機の各々には、ホールの所在場所を特定する場所情報を記憶した場所情報記憶手段と、この場所情報を判定する場所判定手段と、遊技動作禁止手段とが夫々設けられているため、外部から受信した場所情報と場所情報記憶手段に記憶した場所情報とを照合し、一致した場合には、通常通りに遊技制御を実行することができるが、一致しない場合には、遊技動作が禁止されるため、他のホールから不正に持ち込まれた遊技機であることが容易に判明する。ここで、前記遊技動作禁止手段が遊技動作を禁止させた場合、エラー状態を報知するエラー報知手段を設けてもよい。
【００１４】
請求項４に係る遊技機監視システムは、ホールに設置された複数台の遊技機に接続された管理コンピュータと、複数の管理コンピュータに通信回線を介して通信可能に接続された監視センターとを備えた遊技機監視システムであって、監視センターはサーバを有し、このサーバに複数のホールの各々について各ホールに特有のホール関連情報を予め記憶させた記憶部を設け、管理コンピュータは、サーバから受信したホール関連情報を各遊技機に送信可能に構成したものである。
【００１５】
管理コンピュータがホール関連情報の送信を要求する情報送信要求を、通信回線を介して監視センターに対して行うことで、監視センターはサーバに記憶したホール関連情報のうち、情報の送信を要求したホールのホール関連情報を管理コンピュータに送信するので、管理コンピュータはそのホール関連情報を接続されている複数の遊技機の各々に送信する。それ故、各遊技機においては、受信したホール関連情報を用いて、設置されているホールとの適応性を検査することができる。
【００１６】
請求項５に係る遊技機監視システムは、ホールに設置された管理コンピュータと、この管理コンピュータに電気的に接続された複数台の遊技機とを備えた遊技機監視システムであって、管理コンピュータは、ホールに特有のホール関連情報を予め記憶させた記憶部を有し、この記憶部のホール関連情報を各遊技機に送信可能に構成したものである。管理コンピュータが記憶部に記憶したホール関連情報を接続されている複数の遊技機の各々に送信するため、各遊技機においては、受信したホール関連情報を用いて、設置されているホールとの適応性を検査することができる。
【００１７】
ここで、前記サーバの記憶部又は管理コンピュータの記憶部に記憶したホール関連情報は、ホールに固有の識別情報又は遊技機が設置されたホールの所在場所を特定する場所情報であってもよい。また、前記複数台の遊技機の各々は、遊技機が設置されたホールに関連するホール関連情報を予め記憶させたホール関連情報記憶手段と、ホール関連情報記憶手段に記憶したホール関連情報と管理コンピュータから受信したホール関連情報とを照合して一致するか否かを判定するホール関連情報判定手段と、ホール関連情報判定手段から一致しない旨の判定結果を受けた場合に、遊技動作を禁止させる遊技動作禁止手段とを備えてもよい。
【００１８】
【発明の実施の形態】
本実施形態は、パチンコホールＡ，Ｂ，Ｃ・・・に設置された複数台のパチンコ機５  （５ａ，５ｂ，５ｃ・・・）  に接続された管理コンピュータ４（４Ａ，４Ｂ・・・）と、パチンコホールＡ，Ｂ，Ｃ・・・毎に設置された複数の管理コンピュータ４（４Ａ，４Ｂ・・・）に公衆回線ＮＷを介して通信可能に接続された監視センター２とを備えた遊技機監視システム１に本発明を適用した場合の一例である。
【００１９】
先ず、監視センター２について説明すると、この監視センター２は、例えば、各都道府県毎に、或いは都道府県の各市や各町に設けられ、図１に示すように、大型コンピュータからなるサーバ３を有し、サーバ３は、図２に示すように、全てのパチンコ機５を監視するように契約された複数のパチンコホールＡ，Ｂ・・・の電話番号と、複数のパチンコホールＡ，Ｂ・・・に予め割り当てられたホールに固有の識別情報（これがホール関連情報であり、ＩＤａ，ＩＤｂ，ＩＤｃ・・）とを夫々対応させた識別情報テーブルＴＢを格納した記憶部  ３ａを備え、各パチンコホールＡ，Ｂ，Ｃ・・・の管理コンピュータ４に公衆回線ＮＷを介して通信可能に接続されている。
【００２０】
次に、パチンコホールＡ，Ｂ・・・について説明する。ここで、複数のパチンコホールＡ，Ｂ・・・が公衆回線ＮＷを介して監視センター２に接続されているが、各パチンコホールＡ，Ｂ・・・の構成内容は同様であるため、パチンコホールＡについて説明する。
図１に示すように、パチンコホールＡには、管理コンピュータ４Ａが設置されているととにも、複数の島構造体が設けられ、各島構造体毎に、所謂、カード式弾球遊技機と呼ばれる複数台の第１種パチンコ機５（５ａ，５ｂ，５ｃ・・・）が設置され、これら複数のパチンコ機５が管理コンピュータ４Ａに夫々電気的に接続されている。
【００２１】
管理コンピュータ４Ａは、監視センター２に公衆回線ＮＷを介して通信したり、複数のパチンコ機５の各々に専用の接続線を介して通信可能であり、そのため、通信制御手段４ａや各種の情報を記憶する記憶手段４ｂ等を有し、汎用コンピュータと同様に構成されている。
次に、パチンコホールＡに設置された複数台のパチンコ機５（５ａ，５ｂ，５ｃ・・・）は同様に構成されているため、そのうちの１つのパチンコ機５ａについて説明する。
【００２２】
図３〜図４に示すように、カード式弾球遊技機であるパチンコ機５ａは、矩形枠状の外枠１１と、この外枠１１に開閉自在に枢着された前枠１２とを有し、カード式球貸し機１０をサンドイッチ状に挟持する状態で、外枠１１が島構造体（図示略）に取り外し可能に固定されている。前枠１２には、遊技盤１３が裏側から着脱自在に装着され、遊技盤１３の前側に対応させて、窓部１４ａを有するガラス扉１４と、発射用の遊技球を貯留する球受け皿１６の前面板（図示略）とが夫々開閉自在にヒンジを介して枢着されている。
【００２３】
前枠１２の下部には、球受け皿１６から溢流し又は抜き取った遊技球を貯留する下皿１７と、発射手段１８の発射ハンドル１１とが設けられている。この発射手段１８は、回動操作可能な発射ハンドル１９と、この発射ハンドル１９を回動操作した回動角度に応じた打撃力で打撃槌（図示略）により遊技球を発射させる発射モータ（図示略）などを備えている。
【００２４】
球受け皿１６の右部には、カード式球貸し機１０に対する球貸し操作用の操作パネル２０が設けられている。この操作パネル２０には、カード残額を３桁の数字で表示するカード残額表示部２０ａと、所定金額分の遊技球の球貸しを指示する球貸しスイッチ２０ｂと、遊技終了時にカードの返却を指令する返却スイッチ２０ｃとが設けられている。図２に示すように、遊技盤１３の外周部には、金属製の外レールと内レールとからなり、遊技球を案内するガイドレール２１がほぼ環状に設けられている。
【００２５】
このガイドレール２１の内側の遊技領域１３ａには、そのほぼ中央部に位置するセンターケース２２と、そのセンターケース２２内に設けられたカラーの液晶ディスプレイ２３と、複数の普通入賞手段２４（この場合、例えば７つ）と、左右の普通図柄始動手段（ゲート手段又は通過手段）２５と、特別図柄始動手段（図柄始動兼入賞手段）２６と、大入賞口手段（開閉式入賞手段）２７等が夫々所定の位置に配設されている。また、センターケース２２には、その上部に４つの普通図柄作動保留ランプ２８と、その下部に４つの特別図柄作動保留ランプ２９とが夫々設けられている。
【００２６】
ここで、遊技領域１３ａには複数の遊技釘や風車等が設けられているが、図示を省略する。特別図柄始動手段２６は開閉可能な左右１対の開閉爪２６ａを備え、図示外の普通電動役物ソレノイドにより開閉爪２６ａが開閉駆動されるように構成されたものである。また、大入賞口手段２７は前方に開放可能な開閉板２７ａを備え、図示外の特別電動役物ソレノイドにより開閉駆動されるように構成されたものである。そこで、開閉板２７ａが前方に開放された場合、遊技者に有利な状態が発生する。
【００２７】
前枠１２の裏側には、図示を省略するが裏機構板が設けられ、この裏機構板に球タンク、タンクレール、払出し／球貸し機構に加えて、主制御基板、図柄制御基板、音声／ランプ制御基板、発射制御基板、電源基板等の制御基板が所定位置に設けられている。これら制御基板は夫々独立のプリント基板で構成され、電源基板と発射制御基板を除くその他の制御基板の各々には１チップ集積回路からなるマイクロコンピュータが夫々設けられている。
【００２８】
次に、パチンコ機５ａの制御装置に予め格納した複数の制御プログラムを介して達成される種々の機能について、図５の機能ブロック図を参照して説明する。主制御基板は、遊技盤１３に設けた種々の遊技部品に対する制御等、主に遊技盤１３に関わる動作を制御する主制御手段３０として機能し、図柄制御基板は液晶ディスプレイ２３からなる図柄表示手段５５の図柄を変動制御する表示制御手段５０として機能する。
【００２９】
音声／ランプ制御基板は球受け皿１６の裏側に設けられたスピーカを駆動制御するサウンド制御手段５１及び各種の表示ランプの点灯制御を司るランプ制御手段５２として機能し、払出制御基板は払出し／球貸し機構による遊技球の払出しを制御する払出し制御手段５３として機能し、発射制御基板は発射モータを駆動して遊技球の発射制御を司る発射制御手段５４として機能する。
【００３０】
主制御手段３０は、遊技者に有利な利益状態を発生させるか否かを抽選する抽選手段３１と、判定手段３２と、表示図柄抽選手段３３と、特別遊技発生手段３４、確率変動手段３５、識別情報記憶手段３６と、識別情報判定手段３７と、遊技動作禁止手段３８と、通信制御手段３９等を備えるとともに、サウンド制御手段５１、ランプ制御手段５２、払出し制御手段５３、発射制御手段５４に夫々駆動信号を出力する。
【００３１】
抽選手段３１は、複数の制御乱数のうちから、普通図柄に関して、左右何れかの普通図柄始動手段２５を遊技球が通過したときの１つの制御乱数を抽選し、更に特別図柄に関して、特別図柄始動手段２６に遊技球が入賞したときの１つの大当たり判定乱数を抽選する。乱数判定手段３２は、抽選手段３１で抽選された普通図柄用の当たり判定乱数について、当たり判定値と一致する「当たり」又は一致しない「外れ」の何れであるかを判定するとともに、抽選手段３１で抽選された特別図柄用の大当たり判定乱数について、大当たり判定値と一致する「大当たり」又は一致しない「外れ（外れリーチを含む）」の何れであるか判定する。
【００３２】
表示図柄抽選手段３３は、判定手段３２からの判定結果に応じて、所定の抽選プログラムにより、複数の図柄変動パターンのうちから１つを設定するとともに、複数種類の表示図柄の中から、判定乱数が「大当り」のときには大当り図柄の何れかを、「ハズレ」のときにハズレ図柄の何れかを、「ハズレ」のうち「ハズレリーチ」のときにはハズレリーチ図柄の何れかを抽選により設定する。
【００３３】
そして、表示図柄抽選手段３３から表示制御手段５０に、これら設定された変動パターンを指示する変動パターン指定コマンドと、左図柄指定コマンドと中図柄指定コマンドと右図柄指定コマンド等を順次送信する。特別遊技発生手段３４は、判定手段３２から大当たりの判定結果を受ける、若しくは、図柄表示手段５５の変動後の停止図柄が大当り図柄となった場合に、所定の特別遊技発生プログラムにより、大入賞口手段２７の開閉板２７ａを開状態に切換えて遊技者に利益状態を与える特別遊技状態となる。
【００３４】
確率変動手段３５は、判定結果が確率変動型の大当たりであった場合に限って、確率変動モードを設定し、次回或いは次々回の大当り迄、抽選手段３１において、大当たりとする判定値の数を通常のときよりも多くして、大当たり確率を通常よりも高める（例えば、１／６０）ように指令する。表示制御手段５０は、表示図柄抽選手段３３から、変動パターン指定コマンドと、左図柄指定コマンドと中図柄指定コマンドと右図柄指定コマンドを順次受け、これらの指定コマンドに基づいて図柄変動制御を実行する。
【００３５】
識別情報記憶手段３６は、これらパチンコ機５が設置されているパチンコホールＡに専用に割り当てられた固有の識別情報、つまり図２に示す監視センター２内のサーバ３に有する記憶部  ３ａに格納された、電話番号に対応する識別情報（ＩＤａ）と同様の識別情報（これもホール関連情報である）を予め記憶している。識別情報判定手段３７は、識別情報記憶手段３６に記憶した識別情報と、監視センター２から送信されてきた識別情報とを照合して、一致するか否かを判定制御する。
【００３６】
遊技動作禁止手段３８は、識別情報判定手段３７から一致しない旨の判定結果を受けた場合に、遊技動作を禁止させる。ここで、遊技動作を禁止させるとは、遊技機自体を遊技できない状態にさせることを意味する。具体的に説明すると、次のような動作禁止状態の何れか１つ又は複数の動作禁止状態の組み合わせが含まれる。即ち、遊技球発射装置が正常に作動しないようにする。例えば、遊技球を発射できないようにする。
【００３７】
また、図柄表示手段が正常に作動しないようにする。例えば、図柄が変動しないように、又は図柄の変動状態が継続するように、つまり図柄変動が停止しないようにする。更に、遊技球の入賞検出を禁止する。例えば、図柄始動口等の所定の遊技球検出スイッチからの信号入力を無効化する。通信制御手段３９は、管理コンピュータ４Ａに、特別図柄の停止図柄情報、特別図柄の変動回数情報、リーチの種類、確率変動型大当たり回数等の遊技情報を管理コンピュータ４Ａに出力する一方、管理コンピュータ４Ａから識別情報等を受信する。
【００３８】
次に、監視センター２のサーバ３で実行される識別情報送信制御について、図６のフローチャートに基づいて説明する。但し、図中符号Ｓｉ（ｉ＝１１、１２、１３・・・）は各ステップである。
後述するように、公衆回線ＮＷを介して管理コンピュータ４に回線接続され、その管理コンピュータ４から識別情報の送信を要求する識別情報送信リクエスト信号を、割り込み処理により受信した場合（Ｓ１１：Ｙｅｓ）  、電話番号通知モードであるため、回線接続した管理コンピュータ４の電話番号に基づいて、この電話番号に対応する識別情報が検索される（Ｓ１２）。
【００３９】
次に、図２に示す識別情報テーブルＴＢに基づいて検索により求められた識別情報が要求先の管理コンピュータ４に送信され（Ｓ１３）、公衆回線ＮＷが切断される。次に、パチンコホールＡの管理コンピュータ４Ａで実行される識別情報管理制御について、図７のフローチャートに基づいて説明する。営業を開始するのに先立って管理コンピュータ４Ａに電源が投入されると、この制御が開始され、先ず、公衆回線ＮＷを介して監視センター２にダイヤルアップにより回線接続され、監視センター２に対して識別情報送信リクエスト信号が送信される（Ｓ２１）。
【００４０】
次に、監視センター２から識別情報が送信されてくると（Ｓ２２：Ｙｅｓ）  、その受信した識別情報が記憶手段の識別情報メモリに記憶される（Ｓ２３）。次に、識別情報メモリに記憶した識別情報を読み出して各パチンコ機５に対して同時送信される（Ｓ２４）。即ち、この時点で各パチンコ機５に送信される識別情報は、これらパチンコ機５が設置されているパチンコホールＡに固有の識別情報である。
【００４１】
次に、パチンコ機５ａで実行される識別情報判定制御について、図８のフローチャートに基づいて説明する。
営業を開始するのに先立ってパチンコ機５ａに電源が投入されると、この制御が開始され、先ず、管理コンピュータ４Ａから識別情報を受信した場合には（Ｓ３１：Ｙｅｓ）  、識別情報記憶手段に予め記憶した識別情報と、受信した識別情報とが照合される（Ｓ３２）。その照合処理の結果、これら２つの識別情報が一致した場合には（Ｓ３３：Ｙｅｓ）  、このパチンコ機５ａは元々からこのパチンコホールＡに設置されている正規のものであることが判明する。
【００４２】
それ故、遊技制御の許可モードを設定するように指令される（Ｓ３４）。その結果、主制御手段３０において、遊技制御が通常通りに正常に実行される。しかし、照合処理の結果、これら２つの識別情報が一致しない場合には（Ｓ３３：Ｎｏ）、このパチンコ機５ａは元々からこのパチンコホールＡに設置されているのではなく、例えば、パチンコホールＢ又はパチンコホールＣ等の他のパチンコホールから不正に移転して設置されたものであることが判明する。それ故、遊技制御の禁止モードを設定するように指令される（Ｓ３６）。
【００４３】
ところで、遊技機５ａが管理コンピュータ４Ａに接続されていないような場合であって、電源投入後に、識別情報を受信できなっかた場合には（Ｓ３１：Ｎｏ）、この場合にもＳ３５、Ｓ３６が同様に実行される。その結果、主制御手段３０において、遊技制御プログラムがマスターリセットによりその遊技制御が停止されるなどして、遊技動作が禁止される。その後、「識別エラー」が管理コンピュータ４Ａに送信される（Ｓ３６）。
【００４４】
その結果、管理コンピュータ４Ａにおいては、その「識別エラー」を受信したパチンコ台番号と、識別情報が一致しない旨のエラーメッセージとがディスプレイに表示される。そのため、このエラー表示に基づいて、そのパチンコ台番号のパチンコ機５ａは、遊技機メーカーが関与しないで転売されたことを容易に発見することができる。ここで、識別情報判定制御の特にＳ３１〜Ｓ３３等が識別情報判定手段３７に相当し、識別情報判定制御の特にＳ３５が遊技動作禁止手段に相当する。
【００４５】
次に、前記実施形態の変更形態について説明する。但し、前記実施形態と同様のものには同一符号を付して説明する。
１〕図９に示すように、遊技機監視システム１Ａは、パチンコホールＡ，Ｂ，Ｃに設置された複数台のパチンコ機６５（６５ａ，６５ｂ・・・）に接続された複数の管理コンピュータ６４（６４Ａ，６４Ｂ，６４Ｃ・・・）と、パチンコホールＡ，Ｂ，Ｃ・・・毎に設置された複数の管理コンピュータ６４に公衆回線ＮＷを介して通信可能に接続された監視センター２Ａ等からなっている。
【００４６】
監視センター２Ａのサーバ３Ａは、図１０に示すように、全てのパチンコ機６５（６５ａ，６５ｂ・・・）を監視するように契約された複数のパチンコホールＡ，Ｂ・・・の電話番号と、これらパチンコホールＡ，Ｂ・・・の所在場所を特定する場所情報（ＧＰａ，ＧＰｂ，ＧＰｃ，ＧＰｄ・・）とを夫々対応させた場所情報テーブルＴＢＡを格納した記憶部  ３ｂが設けられている。
【００４７】
ここで、場所情報ＧＰは、各パチンコホールＡ，Ｂ・・・毎に、複数の衛星から送信される電波を受信し、その受信した信号（搬送波等）に基づいて、周知の全地球測位システム（Ｇｌｏｂａｌ  Ｐｏｓｉｔｉｏｎｉｎｇ  Ｓｙｓｔｅｍ）を用いて、演算処理により位置座標を求めたものである。それ故、各パチンコホールＡ，Ｂ・・・毎の場所情報ＧＰは、パチンコホールＡ，Ｂ・・・に固有の情報（これがホール関連情報に相当する）である。
【００４８】
一方、各パチンコ機５の主制御手段は、場所情報記憶手段３６Ａと、場所判定手段３７Ａと、遊技動作禁止手段３８を有する以外に、その他前記実施形態と同様に構成されている。そこで、監視センター２Ａのサーバ３Ａで実行される場所情報送信制御について、図１１のフローチャートに基づいて説明する。
【００４９】
公衆回線ＮＷを介して何れかの管理コンピュータ６４に回線接続され、その回線接続された管理コンピュータ６４から場所情報の送信を要求する場所情報送信リクエスト信号を、割り込み処理により受信した場合（Ｓ１１Ａ：Ｙｅｓ）、電話番号通知モードであるため、回線接続した管理コンピュータ６４の電話番号に基づいて、この電話番号に対応する場所情報が検索される（Ｓ１２Ａ  ）。
【００５０】
次に、図１０に示す場所情報テーブルＴＢＡに基づいて検索により求められた場所情報が要求先の管理コンピュータ６４に送信され（Ｓ１３Ａ  ）、公衆回線ＮＷが切断される。次に、パチンコホールＡの管理コンピュータ６４で実行される場所情報管理制御について、図１２のフローチャートに基づいて説明する。
営業を開始するのに先立って管理コンピュータ６４に電源が投入されると、この制御が開始され、先ず、公衆回線ＮＷを介して監視センター２Ａにダイヤルアップにより接続され、この監視センター２Ａに対して場所情報送信リクエスト信号が送信される（Ｓ２１Ａ  ）。
【００５１】
次に、監視センター２Ａから場所情報が送信されてくると（Ｓ２２Ａ：Ｙｅｓ）、その受信した場所情報が記憶手段の場所情報メモリに記憶される（Ｓ２３Ａ  ）。次に、その場所情報メモリに記憶した場所情報を読み出して各パチンコ機５に対して同時送信される（Ｓ２４Ａ  ）。即ち、この時点で各パチンコ機５に送信される場所情報は、これらパチンコ機５が設置されているパチンコホールＡに固有の情報である。
【００５２】
次に、パチンコ機５で実行される場所情報判定制御について、図１３のフローチャートに基づいて説明する。
営業を開始するのに先立ってパチンコ機５に電源が投入されると、この制御が開始され、先ず、管理コンピュータ６４から場所情報を受信した場合には（Ｓ３１Ａ：Ｙｅｓ）、場所情報記憶手段３６Ａ  に予め記憶した場所情報と、その受信した場所情報とが照合される（Ｓ３２Ａ  ）。その照合の結果、これら２つの場所情報が一致した場合には（Ｓ３３Ａ：Ｙｅｓ）、このパチンコ機５は元々からこのパチンコホールＡに設置されている正規のものであることが判明する。
【００５３】
それ故、遊技制御の許可モードを設定するように指令される（Ｓ３４）。その結果、主制御手段において、遊技制御が通常通りに正常に実行される。しかし、照合の結果、これら２つの場所情報が一致しない場合（Ｓ３３Ａ：Ｎｏ）  と、場所情報を受信できなかった場合には（Ｓ３１Ａ：Ｎｏ）  、このパチンコ機５は元々からこのパチンコホールＡに設置されているのではなく、例えば、パチンコホールＢ又はパチンコホールＣ等の他のパチンコホールから不正に移店して設置されたものであることが判明する。それ故、遊技制御の禁止モードを設定するように指令される（Ｓ３５）。
【００５４】
その結果、主制御手段において遊技動作が禁止される。その後、「場所エラー」が管理コンピュータ６４Ａに送信される（Ｓ３６Ａ  ）。その結果、管理コンピュータ６４においては、その「場所エラー」を受信したパチンコ台番号と、場所情報が一致しない旨のエラーメッセージとがディスプレイ（図示略）に表示される。そのため、この表示されたエラー及びパチンコ台番号に基づいて、そのパチンコ台番号のパチンコ機５は、遊技機メーカーが関与しないで移店されたものであることを容易に発見することができる。ここで、場所情報判定制御の特にＳ３１Ａ  〜Ｓ３３Ａ  等が場所判定手段３７Ａに相当し、場所情報判定制御の特にＳ３５が遊技動作禁止手段に相当する。
【００５５】
２〕各パチンコホールＡ，Ｂ，Ｃ・・・において、パチンコホールＡ，Ｂ，Ｃ・・・に設置された管理コンピュータと、この管理コンピュータに電気的に接続された複数台のパチンコ機とを備えた遊技機監視システムであって、パチンコホールＡ，Ｂ，Ｃ・・・に関する識別情報について、各パチンコ機において一致するか否かを照合するようにしてもよい。例えば、パチンコホールＡについて説明すると、図１４に示すように、遊技機監視システム１Ｂは、管理コンピュータ７４Ａと複数のパチンコ機５（５ａ，５ｂ・・・）とを備えている。
【００５６】
管理コンピュータ７４Ａには、通信制御手段４ａに加えて、図２に示す識別情報テーブルＴＢのうちのパチンコホールＡに関する識別情報（ＩＤａ）を記憶した識別情報記憶手段４ｃが設けられている。一方、各パチンコ機５の主制御手段は、図５と同様に、識別情報記憶手段３６と、識別情報判定手段３７と、遊技動作禁止手段３８を有する以外に、前記実施形態と同様に構成されている。
【００５７】
そして、管理コンピュータ７４から識別情報記憶手段４ｃに記憶した識別情報が各パチンコ機５に送信された後、パチンコ機５の各々において、図８に示す識別情報判定制御が夫々実行される。それ故、電源投入時に、管理コンピュータ７４Ａから受信した識別情報と、識別情報記憶手段３６に記憶した識別情報とが照合され、一致した場合に限って遊技制御が許可されるが、一致しない場合には遊技制御が禁止される。
【００５８】
３〕各パチンコホールＡ，Ｂ，Ｃ・・・において、パチンコホールＡ，Ｂ，Ｃ・・・に設置された管理コンピュータと、この管理コンピュータに電気的に接続された複数台のパチンコ機とを備えた遊技機監視システムであって、パチンコホールＡ，Ｂ，Ｃ・・・に関する場所情報について、各パチンコ機において一致するか否かを照合するようにしてもよい。例えば、パチンコホールＡについて説明すると、図１５に示すように、遊技機監視システム１Ｃは、管理コンピュータ８４Ａと複数のパチンコ機６５（６５ａ，６５ｂ・・・）とを備えている。
【００５９】
管理コンピュータ８４Ａには、通信制御手段４ａに加えて、前述した衛星からのＧＰＳ電波をアンテナを介して受信する場所情報受信手段４ｄと、受信した信号に基づいてパチンコホールＡが設置されている位置座標を求める場所演算手段４ｅ等が設けられている。一方、各パチンコ機５の主制御手段は、場所情報記憶手段３６Ａと、場所判定手段３７Ａと、遊技動作禁止手段３８を有する以外に、前記実施形態と同様に構成されている。そして、管理コンピュータ８４Ａから演算で求めた場所情報が各パチンコ機５に送信された後、パチンコ機６５の各々において、図１３に示す場所情報判定制御が実行される。
【００６０】
それ故、電源投入時に、管理コンピュータ８４Ａから受信した場所情報と、場所情報記憶手段３６Ａに記憶した場所情報とが照合され、一致した場合に限って遊技制御が許可されるが、一致しない場合には遊技制御が禁止される。
【００６１】
４〕図１６に示すように、各パチンコホールＡ，Ｂ，Ｃ・・・の各パチンコ機７５（７５ａ，７５ｂ・・・）において、パチンコホールＡ，Ｂ，Ｃ・・・に関する場所情報について、一致するか否かを照合するようにしてもよい。この場合、例えば、パチンコホールＡについて説明すると、各パチンコ機７５の主制御手段は、前述したように、衛星からのＧＰＳ電波をアンテナを介して受信する場所情報受信手段４０と、受信した信号に基づいてパチンコホールＡが設置されている位置座標を求める場所演算手段４１、場所情報記憶手段３６Ａと、場所判定手段３７Ａと、遊技動作禁止手段３８を有する以外に、前記実施形態と同様に構成されている。
【００６２】
そして、各パチンコ機７５において、場所情報受信手段４０で受信した信号に基づいて  場所演算手段４１により位置座標が求められた後、図１３に示す場所情報判定制御が実行される。それ故、電源投入時に、場所演算手段４１により求められた場所情報と、場所情報記憶手段３６Ａに記憶した場所情報とが照合され、一致する場合に限って遊技制御が許可されるが、一致しない場合には遊技制御が禁止される。
【００６３】
５〕ところで、図１６に示すように、各パチンコホールＡ，Ｂ，Ｃ・・・の各パチンコ機８５（８５ａ，８５ｂ・・・）において、パチンコホールＡ，Ｂ，Ｃ・・・に関する識別情報について、唯一のマスターカードに記録された識別情報と一致するか否かを照合するようにしてもよい。この場合、例えば、パチンコホールＡについて説明すると、図１７に示ように、その唯一のマスターカード６０には、パチンコホールＡに固有の識別情報が記憶されており、このマスターカード６０は、パチンコホールＡの関係者以外の部外者が使用することも、パチンコホールＡから外部に持ち出すこと、複製することも禁じられている。
【００６４】
一方、各パチンコ機８５の主制御手段は、マスターカード６０を読込むカード読込み手段４２と、識別情報記憶手段３６と、識別情報判定手段３７と、遊技動作禁止手段３８を有する以外に、前記実施形態と同様に構成されている。
【００６５】
そして、各パチンコ機８５において、図１８に示す識別情報判定制御が実行される。それ故、電源投入時に、カード読込み手段４２でマスターカード６０に記録されている識別情報が読込まれ（Ｓ３１Ｂ：Ｙｅｓ）、その読込んだ場所情報と、識別情報記憶手段３６に記憶した識別情報とが照合され（Ｓ３２Ｂ）、一致した場合に限って（Ｓ３３Ｂ：Ｙｅｓ）、遊技制御が許可されるが（Ｓ３４）  、一致しない場合には（Ｓ３３Ｂ：Ｎｏ）  、遊技制御が禁止される（Ｓ３５）  。
【００６６】
６〕前述したパチンコホール用の唯一のマスターカード６０に、識別情報以外に、場所情報であってもよく、またパチンコホールＡ，Ｂ・・・が建てられている住所情報等の、種々のホール関連情報であってもよい。
７〕監視センターは、各都道府県毎に設けてもよく、中部地方、関東地方、近畿地方等、大きな地域に１つ又は複数を設け、公衆回線ＮＷ以外に、インターネット等の各種のネットワークを介して、監視センターとパチンコホールとを接続可能に構成するようにしてもよい。
【００６７】
８〕監視センターは、サーバに代えて、プロバイダとして機能する大型コンピュータが設置された構成であってもよく、また営業開始時だけでなく、営業中に定期的に各パチンコ機の識別情報と場所情報の二種類の情報でもって、任意の時期に随時監視するように構成してもよい。
９〕複数台のパチンコ機を設置したパチンコホールに代えて、複数台のスロットマシンや種々の遊技機を多種多様に設置した各種のホールであってもよい。
【００６８】
１０〕本発明は以上説明した実施形態に限定されるものではなく、当行者であれば、本発明の趣旨を逸脱しない範囲で、前記実施形態に種々の変更を付加して実施することができ、本発明はそれらの変更形態をも包含するものである。
【００６９】
【発明の効果】請求項１の発明によれば、抽選手段を有する遊技機において、識別情報記憶手段と、識別情報判定手段と、遊技動作禁止手段とを備えたので、外部から受信した識別情報と識別情報記憶手段に記憶した識別情報とを照合し、一致した場合には、通常通りに遊技制御を実行することができるが、一致しない場合には、遊技動作が禁止されるため、遊技機メーカーが関与しないで、他のホールから不正に持ち込まれた遊技機であることを容易に発見することができる。
【００７０】
請求項２の発明によれば、抽選手段を有する遊技機において、場所情報記憶手段と、場所判定手段と、遊技動作禁止手段とを備えたので、外部から受信した場所情報と場所情報記憶手段に記憶した場所情報とを照合し、一致した場合には、通常通りに遊技制御を実行することができるが、一致しない場合には、遊技動作が禁止されるため、遊技機メーカーが関与しないで、他のホールから不正に持ち込まれた遊技機であることを容易に発見することができる。
【図面の簡単な説明】
【図１】本発明の実施形態に係る遊技機監視システムの構成図である。
【図２】識別情報テーブルに記憶した情報を説明する図表である。
【図３】パチンコ機の斜視図である。
【図４】パチンコ機の遊技盤の正面図である。
【図５】パチンコホールに有する管理コンピュータとパチンコ機の制御系のブロック図である。
【図６】識別情報送信制御のフローチャートである。
【図７】識別情報管理制御のフローチャートである。
【図８】識別情報判定制御のフローチャートである。
【図９】変更形態に係る図１相当図である。
【図１０】場所情報テーブルに記憶した情報を説明する図表である。
【図１１】変更形態に係る図６相当図である。
【図１２】変更形態に係る図７相当図である。
【図１３】変更形態に係る図８相当図である。
【図１４】変更形態に係る遊技機監視システムの構成図である。
【図１５】変更形態に係る図１４相当図である。
【図１６】変更形態に係る図１４相当図である。
【図１７】変更形態に係る遊技機監視システムの構成図である。
【図１８】変更形態に係る図８相当図である。
【符号の説明】
１            遊技機監視システム
１Ａ〜１Ｃ    遊技機監視システム
２，２Ａ      監視センター
３ａ，３ｂ    記憶部
３，３Ａ      サーバ
４                    管理コンピュータ
５            パチンコ機
３１          抽選手段
３６          識別情報記憶手段
３６Ａ        場所情報記憶手段
３７          識別情報判定手段
３７Ａ        場所判定手段
３８          遊技動作禁止手段
６４          管理コンピュータ
６５          パチンコ機
７４          管理コンピュータ
７５          パチンコ機
８４          管理コンピュータ
８５          パチンコ機
【図１】
2004187792.tif 000003
【図２】
2004187792.tif 000004
【図３】
2004187792.tif 000005
【図４】
2004187792.tif 000006
【図５】
2004187792.tif 000007
【図６】
2004187792.tif 000008
【図７】
2004187792.tif 000009
【図８】
2004187792.tif 000010
【図９】
2004187792.tif 000011
【図１０】
2004187792.tif 000012
【図１１】
2004187792.tif 000013
【図１２】
2004187792.tif 000014
【図１３】
2004187792.tif 000015
【図１４】
2004187792.tif 000016
【図１５】
2004187792.tif 000017
【図１６】
2004187792.tif 000018
【図１７】
2004187792.tif 000019
【図１８】
2004187792.tif 000020